【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  画像情報、及び前記画像情報に関する付属情報を有する画像ファイルを複数記録した記録媒体であって、
第１の領域には、複数の前記画像ファイルが記録されており、
前記第１の領域とは異なった領域である第２の領域には、複数の前記画像ファイルにそれぞれ対応する前記付属情報の全体のコピーまたは一部のコピーを含む第２の付属情報が記録されており、
前記第１の領域の付属情報および前記第２の領域の付属情報は、前記画像情報のサムネール画像情報および前記画像情報に関するメタデータを含む記録媒体。
【請求項２】  前記第２の領域の付属情報は、前記第１の領域の付属情報と共通のデータ構造で記録される請求項１記載の記録媒体。
【請求項３】 さらに第１の領域の前記画像ファイルと第２の領域の付属情報との間のリンク情報が記録される請求項１記載の記録媒体。
【請求項４】  前記画像ファイルは、Ｅｘｉｆ画像ファイルであり、
前記画像情報は、前記Ｅｘｉｆ画像ファイルに含まれるＥｘｉｆ主画像及びＥＯＩ（エンドオブイメージ）であり、
前記第１の領域の付属情報は、前記Ｅｘｉｆ画像ファイルに含まれるＡＰＰ１（アプリケーションデータセグメント１）及びＳＯＩ（スタートオブイメージ）であり、
前記第２の領域の付属情報は、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である、または前記ＡＰＰ１から所定の情報を除いた部分である請求項１記載の記録媒体。
【請求項５】  前記画像ファイルは、ＤＣＦ基本ファイルであり、
前記画像情報は、前記ＤＣＦ基本ファイルに含まれるＥｘｉｆ主画像及びＥＯＩ（エンドオブイメージ）であり、
前記第１の領域の付属情報は、前記ＤＣＦ基本ファイルに含まれるＡＰＰ１（アプリケーションデータセグメント１）及びＳＯＩ（スタートオブイメージ）であり、
前記第２の領域の付属情報は、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である請求項１記載の記録媒体。
【請求項６】  前記画像ファイルは、Ｅｘｉｆ規格に準拠したＴＩＦＦファイル、及び前記ＴＩＦＦファイルに対応する縮小画像情報であるＤＣＦサムネールファイルであり、
前記画像情報は、前記ＴＩＦＦファイルに含まれるＴＩＦＦ画像情報であり、
前記第１の領域の付属情報は、前記ＴＩＦＦファイルに含まれるＥｘｉｆ規格準拠の付属情報、及び前記ＤＣＦサムネールファイルである請求項１記載の記録媒体。
【請求項７】  画像情報、及び前記画像情報に関する付属情報から構成される画像ファイルを複数入力する入力手段と、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を記録する記録手段とを備え、
前記第１の領域の付属情報および前記第２の領域の付属情報は、前記画像情報のサムネール画像情報および前記画像情報に関するメタデータを含む記録装置。
【請求項８】  画像を圧縮して画像情報と前記画像情報に関する付属情報を生成するエンコーダと、
前記画像情報、および前記付属情報を画像ファイルとして構成し、記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を記録する記録手段とを備え、
前記第１の領域の付属情報及び前記第２の領域の付属情報は、前記画像情報のサムネール画像情報及び前記画像情報に関するメタデータを含む記録装置。
【請求項９】  前記第２の領域の付属情報は、前記第１の領域の付属情報と共通のデータ構造で記録される請求項７または８記載の記録装置。
【請求項１０】  さらに第１の領域の前記画像ファイルと前記第２の領域の付属情報との間のリンク情報を記録する請求項７または８記載の記録装置。
【請求項１１】  請求項７または８記載の記録装置によって記録された記録媒体に格納されている前記画像情報及び前記付属情報を再生する再生装置であって、
一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の前記付属情報のコピーを読み出す読み出し手段と、
読み出された前記画像ファイルまたは前記付属情報を出力する出力手段とを備えた再生装置。
【請求項１２】  画像情報、及び前記画像情報に関する付属情報から構成される画像ファイルを複数入力する入力ステップと、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を記録する記録ステップとを備え、
前記第１の領域の付属情報および前記第２の領域の付属情報は、前記画像情報のサムネール画像情報および前記画像情報に関するメタデータを含む記録方法。
【請求項１３】  画像を圧縮して画像情報と前記画像情報に関する付属情報を生成するステップと、
前記画像情報、および前記付属情報を画像ファイルとして構成し、記録媒体の第１の領域に、複数の前記画像ファイルを記録するステップと、
前記記録媒体の前記第１の領域とは異なった領域である第２の領域に、複数の前記画像ファイルにそれぞれ対応する前記付属情報の全体のコピーまたは一部のコピーを含む第２の付属情報を記録するステップとを備え、
前記第１の領域の付属情報および前記第２の領域の付属情報は、前記画像情報のサムネール画像情報および前記画像情報に関するメタデータを含む記録方法。
【請求項１４】  請求項１２または１３記載の記録方法によって記録された記録媒体に格納されている前記画像情報及び前記付属情報を再生する再生方法であって、
一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の前記付属情報のコピーを含む第２の付属情報を読み出す読み出しステップと、
読み出された前記画像ファイルまたは前記付属情報を出力する出力ステップとを備えた再生方法。
【請求項１５】  請求項７記載の記録装置の、画像情報、及び前記画像情報に関する付属情報から構成される画像ファイルを複数入力する入力手段と、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を複数記録する記録手段としてコンピュータを機能させるためのプログラム。
【請求項１６】  請求項８記載の記録装置の、画像を圧縮して画像情報と前記画像情報に関する付属情報を生成するエンコーダと、
前記画像情報、および前記付属情報を画像ファイルとして構成し、記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を記録する記録手段としてコンピュータを機能させるためのプログラム。
【請求項１７】  請求項１１記載の再生装置の、一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の前記付属情報のコピーを読み出す読み出し手段と、
読み出された前記画像ファイルまたは前記付属情報を出力する出力手段としてコンピュータを機能させるためのプログラム。
【請求項１８】  請求項１５〜１７のいずれかに記載のプログラムを担持した記録媒体であって、コンピュータにより処理可能な記録媒体。
【手続補正２】
【補正対象書類名】明細書
【補正対象項目名】０１４４
【補正方法】変更
【補正の内容】
【０１４４】
【課題を解決するための手段】
上述した課題を解決するために、第１の本発明は、画像情報、及び前記画像情報に関する付属情報を有する画像ファイルを複数記録した記録媒体であって、
第１の領域には、複数の前記画像ファイルが記録されており、
前記第１の領域とは異なった領域である第２の領域には、複数の前記画像ファイルにそれぞれ対応する前記付属情報の全体のコピーまたは一部のコピーを含む第２の付属情報が記録されており、
前記第１の領域の付属情報および前記第２の領域の付属情報は、前記画像情報のサムネール画像情報および前記画像情報に関するメタデータを含む記録媒体である。
また、第２の本発明は、前記第２の領域の付属情報は、前記第１の領域の付属情報と共通のデータ構造で記録される第１の本発明の記録媒体である。
また、第３の本発明は、さらに第１の領域の前記画像ファイルと第２の領域の付属情報との間のリンク情報が記録される第１の本発明の記録媒体である。
また、第４の本発明は、前記画像ファイルは、Ｅｘｉｆ画像ファイルであり、
前記画像情報は、前記Ｅｘｉｆ画像ファイルに含まれるＥｘｉｆ主画像及びＥＯＩ（エンドオブイメージ）であり、
前記第１の領域の付属情報は、前記Ｅｘｉｆ画像ファイルに含まれるＡＰＰ１（アプリケーションデータセグメント１）及びＳＯＩ（スタートオブイメージ）であり、
前記第２の領域の付属情報は、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である、または前記ＡＰＰ１から所定の情報を除いた部分である第１の本発明の記録媒体である。
また、第５の本発明は、前記画像ファイルは、ＤＣＦ基本ファイルであり、
前記画像情報は、前記ＤＣＦ基本ファイルに含まれるＥｘｉｆ主画像及びＥＯＩ（エンドオブイメージ）であり、
前記第１の領域の付属情報は、前記ＤＣＦ基本ファイルに含まれるＡＰＰ１（アプリケーションデータセグメント１）及びＳＯＩ（スタートオブイメージ）であり、
前記第２の領域の付属情報は、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である第１の本発明の記録媒体である。
また、第６の本発明は、前記画像ファイルは、Ｅｘｉｆ規格に準拠したＴＩＦＦファイル、及び前記ＴＩＦＦファイルに対応する縮小画像情報であるＤＣＦサムネールファイルであり、
前記画像情報は、前記ＴＩＦＦファイルに含まれるＴＩＦＦ画像情報であり、
前記第１の領域の付属情報は、前記ＴＩＦＦファイルに含まれるＥｘｉｆ規格準拠の付属情報、及び前記ＤＣＦサムネールファイルである第１の本発明の記録媒体である。
また、第７の本発明は、画像情報、及び前記画像情報に関する付属情報から構成される画像ファイルを複数入力する入力手段と、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を記録する記録手段とを備え、
前記第１の領域の付属情報および前記第２の領域の付属情報は、前記画像情報のサムネール画像情報および前記画像情報に関するメタデータを含む記録装置である。
また、第８の本発明は、画像を圧縮して画像情報と前記画像情報に関する付属情報を生成するエンコーダと、
前記画像情報、および前記付属情報を画像ファイルとして構成し、記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を記録する記録手段とを備え、
前記第１の領域の付属情報及び前記第２の領域の付属情報は、前記画像情報のサムネール画像情報及び前記画像情報に関するメタデータを含む記録装置である。
また、第９の本発明は、前記第２の領域の付属情報は、前記第１の領域の付属情報と共通のデータ構造で記録される第７または８の本発明の記録装置である。
また、第１０の本発明は、さらに第１の領域の前記画像ファイルと前記第２の領域の付属情報との間のリンク情報を記録する第７または８の本発明の記録装置である。
また、第１１の本発明は、第７または８の本発明の記録装置によって記録された記録媒体に格納されている前記画像情報及び前記付属情報を再生する再生装置であって、
一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の前記付属情報のコピーを読み出す読み出し手段と、
読み出された前記画像ファイルまたは前記付属情報を出力する出力手段とを備えた再生装置である。
また、第１２の本発明は、画像情報、及び前記画像情報に関する付属情報から構成される画像ファイルを複数入力する入力ステップと、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を記録する記録ステップとを備え、
前記第１の領域の付属情報および前記第２の領域の付属情報は、前記画像情報のサムネール画像情報および前記画像情報に関するメタデータを含む記録方法である。
また、第１３の本発明は、画像を圧縮して画像情報と前記画像情報に関する付属情報を生成するステップと、
前記画像情報、および前記付属情報を画像ファイルとして構成し、記録媒体の第１の領域に、複数の前記画像ファイルを記録するステップと、
前記記録媒体の前記第１の領域とは異なった領域である第２の領域に、複数の前記画像ファイルにそれぞれ対応する前記付属情報の全体のコピーまたは一部のコピーを含む第２の付属情報を記録するステップとを備え、
前記第１の領域の付属情報および前記第２の領域の付属情報は、前記画像情報のサムネール画像情報および前記画像情報に関するメタデータを含む記録方法である。
また、第１４の本発明は、第１２または１３の本発明の記録方法によって記録された記録媒体に格納されている前記画像情報及び前記付属情報を再生する再生方法であって、
一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の前記付属情報のコピーを含む第２の付属情報を読み出す読み出しステップと、
読み出された前記画像ファイルまたは前記付属情報を出力する出力ステップとを備えた再生方法である。
また、第１５の本発明は、第７の本発明の記録装置の、画像情報、及び前記画像情報に関する付属情報から構成される画像ファイルを複数入力する入力手段と、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を複数記録する記録手段としてコンピュータを機能させるためのプログラムである。
また、第１６の本発明は、第８の本発明の記録装置の、画像を圧縮して画像情報と前記画像情報に関する付属情報を生成するエンコーダと、
前記画像情報、および前記付属情報を画像ファイルとして構成し、記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを含む第２の付属情報を記録する記録手段としてコンピュータを機能させるためのプログラムである。
また、第１７の本発明は、第１１の本発明の再生装置の、一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の前記付属情報のコピーを読み出す読み出し手段と、
読み出された前記画像ファイルまたは前記付属情報を出力する出力手段としてコンピュータを機能させるためのプログラムである。
また、第１８の本発明は、第１５〜１７の本発明のいずれかのプログラムを担持した記録媒体であって、コンピュータにより処理可能な記録媒体である。
【手続補正３】
【補正対象書類名】明細書
【補正対象項目名】０１４５
【補正方法】削除
【補正の内容】
【手続補正４】
【補正対象書類名】明細書
【補正対象項目名】０１４６
【補正方法】削除
【補正の内容】
【手続補正５】
【補正対象書類名】明細書
【補正対象項目名】０１４７
【補正方法】削除
【補正の内容】
【手続補正６】
【補正対象書類名】明細書
【補正対象項目名】０１４８
【補正方法】削除
【補正の内容】
【手続補正７】
【補正対象書類名】明細書
【補正対象項目名】０１４９
【補正方法】削除
【補正の内容】
【手続補正８】
【補正対象書類名】明細書
【補正対象項目名】０１５０
【補正方法】削除
【補正の内容】
【手続補正９】
【補正対象書類名】明細書
【補正対象項目名】０１５１
【補正方法】削除
【補正の内容】
【手続補正１０】
【補正対象書類名】明細書
【補正対象項目名】０１５２
【補正方法】削除
【補正の内容】
【手続補正１１】
【補正対象書類名】明細書
【補正対象項目名】０１５３
【補正方法】削除
【補正の内容】
【手続補正１２】
【補正対象書類名】明細書
【補正対象項目名】０１５４
【補正方法】削除
【補正の内容】
【手続補正１３】
【補正対象書類名】明細書
【補正対象項目名】０１５５
【補正方法】削除
【補正の内容】
【手続補正１４】
【補正対象書類名】明細書
【補正対象項目名】０１５６
【補正方法】削除
【補正の内容】
【手続補正１５】
【補正対象書類名】明細書
【補正対象項目名】０１５７
【補正方法】削除
【補正の内容】
【手続補正１６】
【補正対象書類名】明細書
【補正対象項目名】０１５８
【補正方法】削除
【補正の内容】
【手続補正１７】
【補正対象書類名】明細書
【補正対象項目名】０１５９
【補正方法】削除
【補正の内容】
【手続補正１８】
【補正対象書類名】明細書
【補正対象項目名】０１６０
【補正方法】削除
【補正の内容】
【手続補正１９】
【補正対象書類名】明細書
【補正対象項目名】０１６１
【補正方法】削除
【補正の内容】
【手続補正２０】
【補正対象書類名】明細書
【補正対象項目名】０１６２
【補正方法】削除
【補正の内容】
【手続補正２１】
【補正対象書類名】明細書
【補正対象項目名】０１６３
【補正方法】削除
【補正の内容】
【手続補正２２】
【補正対象書類名】明細書
【補正対象項目名】０１６４
【補正方法】削除
【補正の内容】
【手続補正２３】
【補正対象書類名】明細書
【補正対象項目名】０１６５
【補正方法】削除
【補正の内容】
【手続補正２４】
【補正対象書類名】明細書
【補正対象項目名】０１６６
【補正方法】削除
【補正の内容】
【手続補正２５】
【補正対象書類名】明細書
【補正対象項目名】０１６７
【補正方法】削除
【補正の内容】
【手続補正２６】
【補正対象書類名】明細書
【補正対象項目名】０１６８
【補正方法】削除
【補正の内容】
【手続補正２７】
【補正対象書類名】明細書
【補正対象項目名】０１６９
【補正方法】削除
【補正の内容】
【手続補正２８】
【補正対象書類名】明細書
【補正対象項目名】０１７０
【補正方法】削除
【補正の内容】
【手続補正２９】
【補正対象書類名】明細書
【補正対象項目名】０１７１
【補正方法】削除
【補正の内容】
【手続補正３０】
【補正対象書類名】明細書
【補正対象項目名】０１７２
【補正方法】削除
【補正の内容】
【手続補正３１】
【補正対象書類名】明細書
【補正対象項目名】０１７３
【補正方法】削除
【補正の内容】